(57)【要約】【課題】１つのローカル信号発生器でＵＨＦ帯の地上デジタルテレビジョン放送およびＶＨＦ帯の地上デジタル音声放送を受信することができると共に、安価、且つ小型化を図ることができる受信回路および受信装置を提供する。【解決手段】  受信回路１００は、発振器４１Ｃと、ＰＬＬ回路４１と、分周器４２，４３と、分周信号切り替えスイッチ４４Ａ，４４Ｂとが設けられている。分周器４２は、ＰＬＬ回路４１からの信号を１／２の周波数に分周する回路であり、分周器４３は、分周器４２からの信号を１／４の周波数に分周する回路である。ＵＨＦ帯の地上デジタルテレビジョン放送を受信する場合、分周器４２で得られた分周信号ＳHA，ＳHBは、ミキサ回路３１Ａ，３１Ｂに供給される。また、ＶＨＦ帯の地上デジタル音声放送を受信する場合、分周器４３で得られた分周信号ＳLA，ＳLBは、ミキサ回路３１Ａ，３１Ｂに供給される。【選択図】        図１
2005295317.tif 000002
【特許請求の範囲】
【請求項１】
受信信号を中間周波信号に周波数変換するミキサ回路と、発振回路と、この発振回路から出力される発振信号を分周する分周回路とを有し、上記分周回路の分周信号を上記ミキサ回路に供給するローカル信号として用い、２つの受信バンドの放送信号を受信可能な受信回路において、
上記分周回路は、少なくとも１つの異なる周波数の分周信号を生成し、
上記受信バンドの一方および他方が、ＵＨＦ帯の地上デジタルテレビジョン放送およびＶＨＦ帯の地上デジタル音声放送とされ、上記ＶＨＦ帯の地上デジタル音声放送を受信するときにローカル信号として使用される上記分周信号は、上記ＵＨＦ帯の地上デジタルテレビジョン放送を受信するときにローカル信号として使用される上記分周信号を１／４の周波数に分周した信号とされる
ことを特徴とする受信回路。
【請求項２】
上記ミキサ回路は２つ設けられ、上記ミキサ回路に供給される分周信号は、その位相が互いに９０°異なる信号とされて上記ミキサ回路から位相が互いに９０°異なる２つの中間周波信号が取り出される
ことを特徴とする請求項１に記載の受信回路。
【請求項３】
上記ＵＨＦ帯の地上デジタルテレビジョン放送を受信するときにローカル信号として使用される上記分周信号は、上記発振回路の発振周波数を１／２の周波数に分周した信号である
ことを特徴とする請求項２に記載の受信回路。
【請求項４】
上記ＵＨＦ帯の地上デジタルテレビジョン放送を受信するときにローカル信号として使用される信号は、上記発振回路から出力される発振信号と同一周波数、かつ９０°の位相差を有する２つの信号である
ことを特徴とする請求項２に記載の受信回路。
【請求項５】
それぞれ２つのミキサ回路を有する第１組のミキサ回路および第２組のミキサ回路と、発振回路と、上記発振回路から出力される発振信号を周波数の異なる第１の受信バンド用第１の分周信号および第２の受信バンド用第２の分周信号に分周する分周回路とを有し、この分周回路の第１の分周信号および第２の分周信号を上記第１組のミキサ回路および第２組のミキサ回路にローカル信号としてそれぞれ供給する受信回路において、
上記第１の受信バンドおよび第２の受信バンドが、ＵＨＦ帯の地上デジタルテレビジョン放送およびＶＨＦ帯の地上デジタル音声放送とされ、上記ＶＨＦ帯の地上デジタル音声放送を受信するときにローカル信号として使用される上記分周信号は、上記ＵＨＦ帯の地上デジタルテレビジョン放送を受信するときにローカル信号として使用される上記分周信号を１／４の周波数に分周した信号とされる
ことを特徴とする受信回路。
【請求項６】
受信信号を中間周波信号に周波数変換するミキサ回路と、発振回路と、この発振回路から出力される発振信号を分周する分周回路とを有し、上記分周回路の分周信号を上記ミキサ回路に供給するローカル信号として用い、２つの受信バンドの放送信号を受信可能な受信回路を備える受信装置において、
上記分周回路は、少なくとも１つの異なる周波数の分周信号を生成し、
上記受信バンドの一方および他方が、ＵＨＦ帯の地上デジタルテレビジョン放送およびＶＨＦ帯の地上デジタル音声放送とされ、上記ＶＨＦ帯の地上デジタル音声放送を受信するときにローカル信号として使用される上記分周信号は、上記ＵＨＦ帯の地上デジタルテレビジョン放送を受信するにローカル信号として使用される上記分周信号を１／４の周波数に分周した信号とされる
ことを特徴とする受信装置。
【発明の詳細な説明】
【技術分野】
【０００１】
この発明は、ＵＨＦ帯の地上デジタルテレビジョン放送およびＶＨＦ帯の地上デジタル音声放送を受信することが可能な受信回路および受信装置に関する。詳しくは、受信バンドの一方および他方が、ＵＨＦ帯の地上デジタルテレビジョン放送およびＶＨＦ帯の地上デジタル音声放送とされ、ＶＨＦ帯の地上デジタル音声放送を受信するときにローカル信号として使用される分周信号は、ＵＨＦ帯の地上デジタルテレビジョン放送を受信するにローカル信号として使用される分周信号を１／４の周波数に分周した信号とされる構成とすることによって、１つのローカル信号発生器でＵＨＦ帯の地上デジタルテレビジョン放送およびＶＨＦ帯の地上デジタル音声放送を受信することができ、部品点数を減らすことができ、安価、且つ小型化を図ることができるようにした受信回路等に係るものである。
【背景技術】
【０００２】
２００３年１０月にＶＨＦ帯の地上デジタル音声放送（ISDB-Tsb:Integrated Services Digital Broadcasting−Terrestrial Sound Broadcasting）が開始され、また、２００３年１２月に地上デジタルテレビジョン放送（ISDB-T:Integrated Services Digital Broadcasting−Terrestrial）が開始された。
【０００３】
ＶＨＦ帯の地上デジタル音声放送は、ＶＨＦ帯の７ｃｈの周波数帯の一部（１８８〜１９２ＭＨｚ）を利用した１セグメント放送である。また、地上デジタルテレビジョン放送も携帯端末向けに、１個のセグメントを使ってよりデータ量の少ない番組を放映することも予定されている（１セグメント放送と呼ばれる）。
【０００４】
従来、複数の周波数帯域を受信する受信機では、ＩＦ周波数にダウンコンバートするためのローカル信号発生器も発振周波数範囲の制限で別々に用意するか、バリキャップとインダクタから構成される発振器のタンク回路をスイッチで切り替える必要があり、ローカル信号発生器を別々に用意する場合は回路の増加による回路スペースの増大やコストの増加、スイッチ切り替えの場合はＱの低下などの性能劣化という弊害を招いていた。
【０００５】
例えば、ＶＨＦ帯とＵＨＦ帯を受信するアナログＴＶチューナー回路においては、ＶＨＦＬｏｗ用、ＶＨＦ  Ｈｉｇｈ用、ＵＨＦ用の３つのローカル信号発生器が必要だった。また、国内地上デジタル放送用の場合であっても、ＵＨＦ帯のＴＶ用、ＶＨＦ７ｃｈ用のラジオ用と別々にローカル信号発生器を設けていた。
【０００６】
また、ＶＨＦ帯のローバンドとハイバンドの信号を受信するために、１つの発振器を用いた音声放送受信用ＩＣおよびそれを用いた受信器が提案されている（例えば、特許文献１参照）。
【０００７】
この場合、ローカル信号発生器の発振信号が第１の分周回路に供給されて１／２の周波数、すなわち、周波数１８１ＭＨｚ〜２１７ＭＨｚの間を受信周波数に対応して変化する信号に分周される。そして、この分周信号が、次段の第２の分周回路に供給されて１／２の周波数、すなわち、周波数９０．５ＭＨｚ〜１０８．５ＭＨｚの間を受信周波数に対応して変化する信号に分周される。この２つの分周回路の分周信号をローカル信号として使用することにより受信信号を中間周波信号に周波数変換するとともに、ローカル信号として使用される分周信号を切り換えることにより受信バンドを切り換え、かつ、受信バンドのそれぞれにおいて、発振回路の発振周波数を変更することにより受信周波数を変更するようになされる。
【０００８】
これにより、ＰＬＬの共振回路の可変容量ダイオードやコイルを、受信バンドに対応して切り換える必要がないので、ＩＣに外付けする部品点数を減らすことができる。また、これが受信機のコストの低減、小型化に貢献することができる。
【０００９】
【特許文献１】特開２００１−１８６０３９号公報（第３，４頁、第１図）
【発明の開示】
【発明が解決しようとする課題】
【００１０】
しかしながら、上述した特許文献１において、ＶＨＦ帯のローバンドとハイバンドの音声放送を受信する場合に、１つの発振器の発信信号を２つの分周回路により分周し、得られた２つの分周信号をローカル信号として使用することができるが、ＵＨＦ帯の地上デジタルテレビジョン放送およびＶＨＦ帯の地上デジタル音声放送を共に受信する場合には対応できなかった。
【００１１】
また、ＵＨＦ帯の地上デジタルテレビジョン放送およびＶＨＦ帯の地上デジタル音声放送の方式において、仕様がほぼ同一であるため、特に携帯機器等で受信するための帯域約４３０ｋＨｚの１セグメント放送の場合、ほとんど共通の仕様となっているので、受信機の共用化が可能である。受信機の小型化、コストダウンを図るため、ＲＦ回路の共用化が求められている。
【００１２】
そこで、この発明は、１つのローカル信号発生器でＵＨＦ帯の地上デジタルテレビジョン放送およびＶＨＦ帯の地上デジタル音声放送を受信することができると共に、安価、且つ小型化を図ることができるようにした受信回路および受信装置を提供することを目的とする。
【課題を解決するための手段】
【００１３】
この発明に係る受信回路は、受信信号を中間周波信号に周波数変換するミキサ回路と、発振回路と、この発振回路から出力される発振信号を分周する分周回路とを有し、分周回路の分周信号をミキサ回路に供給するローカル信号として用い、２つの受信バンドの放送信号を受信可能な受信回路において、分周回路は、少なくとも１つの異なる周波数の分周信号を生成し、受信バンドの一方および他方が、ＵＨＦ帯の地上デジタルテレビジョン放送およびＶＨＦ帯の地上デジタル音声放送とされ、ＶＨＦ帯の地上デジタル音声放送を受信するときにローカル信号として使用される分周信号は、ＵＨＦ帯の地上デジタルテレビジョン放送を受信するときにローカル信号として使用される分周信号を１／４の周波数に分周した信号とされるものである。
【００１４】
例えば、ミキサ回路は２つ設けられ、ミキサ回路に供給される分周信号は、その位相が互いに９０°異なる信号とされてミキサ回路から位相が互いに９０°異なる２つの中間周波信号が取り出され、ＵＨＦ帯の地上デジタルテレビジョン放送を受信するときにローカル信号として使用される分周信号は、発振回路の発振周波数を１／２の周波数に分周した信号であり、または、ＵＨＦ帯の地上デジタルテレビジョン放送を受信するときにローカル信号として使用される信号は、発振回路から出力される発振信号と同一周波数、かつ９０°の位相差を有する２つの信号である。
【００１５】
また、この発明に係る受信回路は、それぞれ２つのミキサ回路を有する第１組のミキサ回路および第２組のミキサ回路と、発振回路と、この発振回路から出力される発振信号を周波数の異なる第１の受信バンド用第１の分周信号および第２の受信バンド用第２の分周信号に分周する分周回路とを有し、この分周回路の第１の分周信号および第２の分周信号を第１組のミキサ回路および第２組のミキサ回路にローカル信号としてそれぞれ供給する受信回路において、第１の受信バンドおよび第２の受信バンドが、ＵＨＦ帯の地上デジタルテレビジョン放送およびＶＨＦ帯の地上デジタル音声放送とされ、ＶＨＦ帯の地上デジタル音声放送を受信するときにローカル信号として使用される上記分周信号は、ＵＨＦ帯の地上デジタルテレビジョン放送を受信するときにローカル信号として使用される上記分周信号を１／４の周波数に分周した信号とされるものである。
【００１６】
この発明に係る受信装置は、受信信号を中間周波信号に周波数変換するミキサ回路と、発振回路と、この発振回路から出力される発振信号を分周する分周回路とを有し、分周回路の分周信号をミキサ回路に供給するローカル信号として用い、２つの受信バンドの放送信号を受信可能な受信回路を備える受信装置において、分周回路は、少なくとも１つの異なる周波数の分周信号を生成し、受信バンドの一方および他方が、ＵＨＦ帯の地上デジタルテレビジョン放送およびＶＨＦ帯の地上デジタル音声放送とされ、ＶＨＦ帯の地上デジタル音声放送を受信するときにローカル信号として使用される分周信号は、ＵＨＦ帯の地上デジタルテレビジョン放送を受信するにローカル信号として使用される分周信号を１／４の周波数に分周した信号とされるものである。
【００１７】
この発明においては、ミキサ回路と、発振回路と、この発振回路から出力される発振信号を分周して少なくとも１つの異なる周波数の分周信号を生成する分周回路とを有し、この分周回路の分周信号をローカル信号として使用することにより受信信号を中間周波信号に周波数変換するとともに、ローカル信号として使用される分周信号を切り換えることにより受信バンドを切り換え、かつ、受信バンドのそれぞれにおいて、発振回路の発振周波数を変更することにより受信周波数を変更する受信回路では、受信バンドの一方および他方が、ＵＨＦ帯の地上デジタルテレビジョン放送およびＶＨＦ帯の地上デジタル音声放送とされ、ＶＨＦ帯の地上デジタル音声放送を受信するときにローカル信号として使用される分周信号は、ＵＨＦ帯の地上デジタルテレビジョン放送を受信するにローカル信号として使用される分周信号を１／４の周波数に分周した信号とされる。
【００１８】
これにより、１つのローカル信号発生器でＵＨＦ帯の地上デジタルテレビジョン放送およびＶＨＦ帯の地上デジタル音声放送を受信することが可能になり、部品点数を減らすことができ、安価、且つ小型化を図ることが可能となる。
【発明の効果】
【００１９】
この発明によれば、ミキサ回路と、発振回路と、この発振回路から出力される発振信号を分周する分周回路とを有し、分周回路の分周信号をミキサ回路にローカル信号として供給することにより２つの受信バンドの放送信号を受信することが可能な受信回路において、分周回路は、少なくとも１つの異なる周波数の分周信号を生成し、受信バンドの一方および他方が、ＵＨＦ帯の地上デジタルテレビジョン放送およびＶＨＦ帯の地上デジタル音声放送とされ、ＶＨＦ帯の地上デジタル音声放送を受信するときにローカル信号として使用される分周信号は、ＵＨＦ帯の地上デジタルテレビジョン放送を受信するときにローカル信号として使用される分周信号を１／４の周波数に分周した信号とされるものであり、１つのローカル信号発生器でＵＨＦ帯の地上デジタルテレビジョン放送およびＶＨＦ帯の地上デジタル音声放送を受信することができ、部品点数を減らすことができ、安価、且つ小型化を図ることができる。
【発明を実施するための最良の形態】
【００２０】
以下、図面を参照しながら、この発明の実施の形態の受信回路および受信装置について説明する。
【００２１】
図１は、本発明の第１の実施の形態の受信回路１００の構成を示す図である。図１に示すように、受信回路１００は、ＲＦ（Radio Frequency）入力端子１１と、同調回路１２Ｌ，１２Ｈと、ローノイズアンプ１３Ｌ，１３Ｈと、バンド切り替えスイッチ１５と、ミキサ回路３１Ａ，３１Ｂと、移相器３３と、加算回路３４と、バンドパスフィルタ３５と、ＩＦ（Intermediate Frequency:中間周波数）アンプ３６と、ＡＧＣ回路４５，４６と、ＡＧＣ信号加算回路４７と、発振器４１Ｃと、ＰＬＬ回路４１と、分周器４２，４３と、分周信号切り替えスイッチ４４Ａ，４４Ｂとから構成されている。
【００２２】
分周器４２は、ＰＬＬ回路４１からの信号Ｓ４１を１／２の周波数に分周する回路である。この分周器４２は、フリップフロップ等で構成され、９０°の位相差を持った２つの信号ＳHA，ＳHBを生成することができる。また、分周器４２で得られた分周信号ＳHA，ＳHBは、分周信号切り替えスイッチ４４Ａ，４４Ｂを介してミキサ回路３１Ａ，３１Ｂに供給される。
【００２３】
分周器４３は、分周器４２からの信号を１／４の周波数に分周する回路である。この分周器４３は、フリップフロップ等で構成され、９０°の位相差を持った２つの信号ＳLA，ＳLBを生成することができる。また、分周器４３で得られた分周信号ＳLA，ＳLBは、分周信号切り替えスイッチ４４Ａ，４４Ｂを介してミキサ回路３１Ａ，３１Ｂに供給される。
【００２４】
ＶＨＦ帯の地上デジタル音声放送を受信する場合、ミキサ回路３１Ａ，３１Ｂに供給されるローカル信号は、発振器４１ＣとＰＬＬ回路４１で下記の周波数関係式（１Ａ，１Ｂ）にそって外部から制御されて生成される。
flo2＝frx＋fif      （１Ａ）
fvco＝8×flo2       （１Ｂ）
【００２５】
ここで、flo2はＶＨＦ受信用ローカル信号の周波数、fvcoはＶＣＯ（Voltage Controlled Oscillators）発振周波数、frxは受信周波数、fifはＩＦ（Intermediate Frequency）周波数である。
【００２６】
ＵＨＦ帯の地上デジタルテレビジョン放送を受信する場合、ミキサ回路３１Ａ，３１Ｂに供給されるローカル信号は、発振器４１ＣとＰＬＬ回路４１で下記の周波数関係式（２Ａ，２Ｂ）にそって外部から制御されて生成される。
flo1＝frx＋fif      （２Ａ）
fvco＝2×flo1       （２Ｂ）
【００２７】
ここで、flo1はＵＨＦ受信用ローカル信号の周波数、fvcoはＶＣＯ発振周波数、frxは受信周波数、fifはＩＦ（Intermediate Frequency）周波数である。
【００２８】
図２は、受信回路１００における各周波数の関係を示す図である。図２（ａ）は、ＶＨＦ帯の地上デジタル音声放送７ｃｈの周波数の関係（周波数設定値）であり、図２（ｂ）は、ＵＨＦ帯の地上デジタルテレビジョン放送チャンネル（１３〜６２）の周波数の関係（周波数設定値）である。
【００２９】
ＶＨＦ帯の地上デジタル音声放送７ｃｈでは、さらに細かくサブチャンネルが規定されており、受信周波数は７−０から７−２７まで２８通りである。また、ＵＨＦ帯では周波数の配置がチャンネルの中心から１／７ＭＨｚずれているため表のような値となっている。
【００３０】
受信回路１００においては、バンド切り替えスイッチ１５および分周信号切り替えスイッチ４４Ａ，４４Ｂはシステムコントローラ（図示せず）により、ＶＨＦ帯の地上デジタル音声放送の受信時には図１の状態に接続され、ＵＨＦ帯の地上デジタルテレビジョン放送の受信時には図１と逆の状態に接続される。
【００３１】
ＶＨＦ帯の地上デジタル音声放送を受信する際に、アンテナにより受信されるＶＨＦ帯の地上デジタル音声放送の放送信号が、ＲＦ入力端子１１から入力され、この受信信号が同調回路１２Ｌによりローバンドにおける目的とする周波数の受信信号ＳRXが取り出される。そして、この受信信号ＳRXが、ローノイズアンプ１３Ｌに入力され、ローノイズアンプ１３Ｌで増幅された受信信号ＳRXはバンド切り替えスイッチ１５を介してミキサ回路３１Ａ，３１Ｂに供給される。
【００３２】
また、ＰＬＬ４１において、例えば周波数９４７ＭＨｚ〜１５３９ＭＨｚの間を受信周波数に対応して変化する発振信号Ｓ４１が形成され、この発振信号Ｓ４１が分周回路４２に供給されて１／２の周波数、すなわち、周波数４７３ＭＨｚ〜７７２ＭＨｚの間を受信周波数に対応して変化する信号ＳHA，ＳHBに分周される。そして、分周回路４２で得られた信号が、次段の分周回路４３に供給されて１／４の周波数、すなわち、周波数１１８ＭＨｚ〜１９３ＭＨｚの間を受信周波数に対応して変化し、かつ、位相が互いに９０°異なる２つの信号ＳLA，ＳLBに分周される。そして、この分周信号ＳLA，ＳLBが、分周信号切り替えスイッチ４４Ａ，４４Ｂを通じてミキサ回路３１Ａ，３１Ｂにローカル信号として供給される。
【００３３】
こうして、ミキサ回路３１Ａ，３１Ｂにおいて、受信信号ＳRXはローカル信号ＳLA，ＳLBにより位相が互いに９０°異なる２つの中間周波信号ＳIFA，ＳIFB、すなわち、互いに直交するＩ軸およびＱ軸の中間周波信号ＳIFA，ＳIFBに周波数変換される。
【００３４】
そして、ミキサ回路３１Ａ，３１Ｂからの中間周波信号ＳIFA，ＳIFBが、移相回路３３に供給され、この移相回路３３において、例えば、中間周波信号ＳIFA，ＳIFBに含まれる本来の信号成分が同相となり、かつ、イメージ成分が逆相となるように移相される。そして、この移相後の中間周波信号ＳIFA，ＳIFBが加算回路３４に供給され、加算回路３４からは、イメージ成分が相殺され、本来の信号成分を有する中間周波信号ＳIFが取り出される。
【００３５】
続いて、この中間周波信号ＳIFが、中間周波フィルタ用のバンドパスフィルタ３５とＩＦアンプ３６を通じて出力端子３８に取り出される。
【００３６】
そして、出力端子３８より取り出された中間周波信号ＳIFに対して、ＶＨＦ帯の地上デジタル音声放送の送信時の変調処理に対応した復調処理が行われ、複数の番組（チャンネル）のうちの目的とする番組のオーディオ信号が取り出される。
【００３７】
一方、ＵＨＦ帯の地上デジタルテレビジョン放送を受信する際に、アンテナにより受信されるＵＨＦ帯の地上デジタルテレビジョン放送の放送信号が、ＲＦ入力端子１１から入力され、この受信信号が同調回路１２Ｈによりハイバンドにおける目的とする周波数の受信信号ＳRXが取り出される。そして、この受信信号ＳRXが、ローノイズアンプ１３Ｈに入力され、ローノイズアンプ１３Ｈで増幅された受信信号ＳRXはバンド切り替えスイッチ１５を介してミキサ回路３１Ａ，３１Ｂに供給される。
【００３８】
また、ＰＬＬ４１において、例えば周波数９４７ＭＨｚ〜１５３９ＭＨｚの間を受信周波数に対応して変化する発振信号Ｓ４１が形成され、この発振信号Ｓ４１が分周回路４２に供給されて１／２の周波数、すなわち、周波数４７３ＭＨｚ〜７７２ＭＨｚの間を受信周波数に対応して変化し、かつ、位相が互いに９０°異なる２つの信号ＳHA，ＳHBに分周される。そして、この分周信号ＳHA，ＳHBが、分周信号切り替えスイッチ４４Ａ，４４Ｂを通じてミキサ回路３１Ａ，３１Ｂにローカル信号として供給される。
【００３９】
こうして、ミキサ回路３１Ａ，３１Ｂにおいて、受信信号ＳRXはローカル信号ＳLA，ＳLBにより位相が互いに９０°異なる２つの中間周波信号ＳIFA，ＳIFB、すなわち、互いに直交するＩ軸およびＱ軸の中間周波信号ＳIFA，ＳIFBに周波数変換される。
【００４０】
そして、ミキサ回路３１Ａ，３１Ｂからの中間周波信号ＳIFA，ＳIFBが移相回路３３に供給され、この移相回路３３において、例えば、中間周波信号ＳIFA，ＳIFBに含まれる本来の信号成分が同相となり、かつ、イメージ成分が逆相となるように移相される。そして、この移相後の中間周波信号ＳIFA，ＳIFBが加算回路３４に供給され、加算回路３４からは、イメージ成分が相殺され、本来の信号成分を有する中間周波信号ＳIFが取り出される。
【００４１】
続いて、この中間周波信号ＳIFが、中間周波フィルタ用のバンドパスフィルタ３５とＩＦアンプ３６を通じて出力端子３８に取り出される。
【００４２】
そして、出力端子３８より取り出された中間周波信号ＳIFに対して、ＵＨＦ帯の地上デジタルテレビジョン放送の送信時の変調処理に対応した復調処理が行われ、複数の番組（チャンネル）のうちの目的とする番組の映像および音声信号が取り出される。
【００４３】
受信回路１００において、ＳIFの出力レベルはＡＧＣ回路４５で検知され、このＡＧＣ回路４５によりＩＦアンプ３６のゲインを制御することで一定に保たれる。また、バンドパスフィルタ３５の帯域外に大きな妨害波が入力された際は、ＡＧＣ回路４６がこれを検知して、ローノイズアンプ１３Ｌ，１３Ｈのゲインを絞り、その以降の回路で歪がおきないようにする。
【００４４】
このように本実施の形態においては、ミキサ回路３１Ａ，３１Ｂと、発振回路を構成する発振器４１Ｃと、ＰＬＬ回路４１と、このＰＬＬ回路４１から出力される発振信号を分周する分周回路４２，４３とを備え、受信バンドの一方および他方が、ＵＨＦ帯の地上デジタルテレビジョン放送およびＶＨＦ帯の地上デジタル音声放送とされ、ＶＨＦ帯の地上デジタル音声放送を受信するときにローカル信号として使用される分周信号ＳLA，ＳLBは、ＵＨＦ帯の地上デジタルテレビジョン放送を受信するときにローカル信号として使用される分周信号ＳHA，ＳHBを１／４の周波数に分周した信号とされる。
【００４５】
これにより、１つのローカル信号発生器でＵＨＦ帯の地上デジタルテレビジョン放送およびＶＨＦ帯の地上デジタル音声放送を受信することが可能になり、部品点数を減らすことができ、安価、且つ小型化を図ることができる。
【００４６】
また、国内地上デジタル音声放送（７ｃｈ）用と国内地上デジタルテレビジョン放送（ＵＨＦ）用の１セグメント共用受信機に適用した際は、ＵＨＦ用のＶＯＣ発振周波数をわずかに広げて１／８分周または１／４分周することで、容易にＶＨＦ−７ｃｈ用のローカル信号に利用できるため、ＶＣＯ回路の変更は分周回路を追加するだけで実現できる。
【００４７】
図３は、本発明の第２の実施の形態の受信回路２００の構成を示す図である。図３に示すように、受信回路２００は、ＲＦ入力端子１１と、同調回路１２Ｌ，１２Ｈと、ローノイズアンプ１３Ｌ，１３Ｈと、ミキサ回路３１ＬＡ，３１ＬＢ，３１ＨＡ，３１ＨＢと、移相器３３と、加算回路３４と、バンドパスフィルタ３５と、ＩＦアンプ３６と、ＡＧＣ回路４５，４６と、ＡＧＣ信号加算回路４７と、発振器４１Ｃと、ＰＬＬ回路４１と、分周器４２，４３とから構成されている。
【００４８】
分周器４２は、ＰＬＬ回路４１からの信号を１／２の周波数に分周する回路である。この分周器４２は、フリップフロップ等で構成され、９０°の位相差を持った２つの信号ＳHA，ＳHBを生成することができる。また、分周器４２で得られた分周信号ＳHA，ＳHBは、ミキサ回路３１ＨＡ，３１ＨＢに供給される。
【００４９】
分周器４３は、分周器４２からの信号を１／４の周波数に分周する回路である。この分周器４３は、フリップフロップ等で構成され、９０°の位相差を持った２つの信号ＳLA，ＳLBを生成することができる。また、分周器４３で得られた分周信号ＳLA，ＳLBは、ミキサ回路３１ＬＡ，３１ＬＢに供給される。
【００５０】
ＶＨＦ帯の地上デジタル音声放送またはＵＨＦ帯の地上デジタルテレビジョン放送を受信する場合、ミキサ回路３１ＬＡ，３１ＬＢ，３１ＨＡ，３１ＨＢに供給されるローカル信号は、発振器４１ＣとＰＬＬ回路４１で上述した第１の実施の形態の受信回路１００と同じ周波数関係式にそって生成される。また、各周波数の関係は上述した受信回路１００と同じである（図２参照）。
【００５１】
ＶＨＦ帯の地上デジタル音声放送を受信する際に、ＰＬＬ４１において、例えば周波数９４７ＭＨｚ〜１５３９ＭＨｚの間を受信周波数に対応して変化する発振信号Ｓ４１が形成され、この発振信号Ｓ４１が分周回路４２に供給されて１／２の周波数、すなわち、周波数４７３ＭＨｚ〜７７２ＭＨｚの間を受信周波数に対応して変化する信号に分周される。そして、この分周信号が、次段の分周回路４３に供給されて１／４の周波数、すなわち、周波数１１８ＭＨｚ〜１９３ＭＨｚの間を受信周波数に対応して変化し、かつ、位相が互いに９０°異なる２つの信号ＳLA，ＳLBに分周される。そして、この分周信号ＳLA，ＳLBが、分周信号切り替えスイッチ４４Ａ，４４Ｂを通じてミキサ回路３１ＬＡ，３１ＬＢにローカル信号として供給される。
【００５２】
一方、ＵＨＦ帯の地上デジタルテレビジョン放送を受信する際に、ＰＬＬ４１において、例えば周波数９４７ＭＨｚ〜１５３９ＭＨｚの間を受信周波数に対応して変化する発振信号Ｓ４１が形成され、この発振信号Ｓ４１が分周回路４２に供給されて１／２の周波数、すなわち、周波数４７３ＭＨｚ〜７７２ＭＨｚの間を受信周波数に対応して変化し、かつ、位相が互いに９０°異なる２つの信号ＳHA，ＳHBに分周される。そして、この分周信号ＳHA，ＳHBが、ミキサ回路３１ＨＡ，３１ＨＢにローカル信号として供給される。
【００５３】
このように本実施の形態においては、ミキサ回路３１ＬＡ，３１ＬＢ，３１ＨＡ，３１ＨＢと、発振回路を構成する発振器４１Ｃと、ＰＬＬ回路４１と、このＰＬＬ回路４１から出力される発振信号を分周する分周回路４２，４３とを備え、受信バンドの一方および他方が、ＵＨＦ帯の地上デジタルテレビジョン放送およびＶＨＦ帯の地上デジタル音声放送とされ、ＶＨＦ帯の地上デジタル音声放送を受信するときにローカル信号として使用される分周信号ＳLA，ＳLBは、ＵＨＦ帯の地上デジタルテレビジョン放送を受信するときにローカル信号として使用される分周信号ＳHA，ＳHBを１／４の周波数に分周した信号とされる。
【００５４】
これにより、１つのローカル信号発生器でＵＨＦ帯の地上デジタルテレビジョン放送およびＶＨＦ帯の地上デジタル音声放送を受信することが可能になり、部品点数を減らすことができ、安価、且つ小型化を図ることができる。
【００５５】
また、この場合、バンド切り替えスイッチと分周信号切り替えスイッチが設ける必要がなく、受信回路を容易に構成できる。
【００５６】
図４は、本発明の第３の実施の形態の受信回路３００の構成を示す図である。図４に示すように、受信回路３００は、ＲＦ入力端子１１と、同調回路１２Ｌ，１２Ｈと、ローノイズアンプ１３Ｌ，１３Ｈと、バンド切り替えスイッチ１５と、ミキサ回路３１Ａ，３１Ｂと、ローパスフィルタ３２Ａ，３２Ｂと、ＩＦアンプ３６Ａ，３６Ｂと、ＡＧＣ回路４５，４６と、ＡＧＣ信号加算回路４７と、発振器４１Ｃと、ＰＬＬ回路４１と、分周器４２，４３と、分周信号切り替えスイッチ４４Ａ，４４Ｂとから構成されている。この受信回路３００は、ダイレクトコンバージョン方式に構成した場合の一例である。
【００５７】
分周器４２は、ＰＬＬ回路４１からの信号を１／２の周波数に分周する回路である。この分周器４２は、フリップフロップ等で構成され、９０°の位相差を持った２つの信号ＳHA，ＳHBを生成することができる。また、分周器４２で得られた分周信号ＳHA，ＳHBは、分周信号切り替えスイッチ４４Ａ，４４Ｂを介してミキサ回路３１Ａ，３１Ｂに供給される。
【００５８】
分周器４３は、分周器４２からの信号を１／４の周波数に分周する回路である。この分周器４３は、フリップフロップ等で構成され、９０°の位相差を持った２つの信号ＳLA，ＳLBを生成することができる。また、分周器４３で得られた分周信号ＳLA，ＳLBは、分周信号切り替えスイッチ４４Ａ，４４Ｂを介してミキサ回路３１Ａ，３１Ｂに供給される。
【００５９】
ＶＨＦ帯の地上デジタル音声放送またはＵＨＦ帯の地上デジタルテレビジョン放送を受信する場合、ミキサ回路３１Ａ，３１Ｂに供給されるローカル信号は、発振器４１ＣとＰＬＬ回路４１で上述した第１の実施の形態の受信回路１００と同じ周波数関係式にそって生成される。また、各周波数の関係は上述した受信回路１００と同じである（図２参照）。
【００６０】
このように本実施の形態においては、ローカル信号の生成は上述した第１の実施の形態の受信回路１００と同じである。そのため、受信回路１００と同様に１つのローカル信号発生器でＵＨＦ帯の地上デジタルテレビジョン放送およびＶＨＦ帯の地上デジタル音声放送を受信することが可能になり、部品点数を減らすことができ、安価、且つ小型化を図ることができる。
【００６１】
図５は、本発明の第４の実施の形態の受信回路４００の構成を示す図である。図５に示すように、受信回路４００は、ＲＦ入力端子１１と、同調回路１２Ｌ，１２Ｈと、ローノイズアンプ１３Ｌ，１３Ｈと、バンド切り替えスイッチ１５と、ミキサ回路３１Ａ，３１Ｂと、移相器３３と、加算回路３４と、バンドパスフィルタ３５と、ＩＦアンプ３６と、ローカル信号用移相器４０と、発振器４１Ｃと、ＰＬＬ回路４１と、分周器４３Ａ，４３Ｂと、分周信号切り替えスイッチ４４Ａ，４４Ｂと、ＡＧＣ回路４５，４６と、ＡＧＣ信号加算回路４７とから構成されている。
【００６２】
ローカル信号用移相器４０は、ＰＬＬ回路４１からの信号を位相が互いに９０°異なる２つの信号に移相処理する。得られた互いに９０°異なる２つの信号ＳHA，ＳHBは、分周信号切り替えスイッチ４４Ａ，４４Ｂを介してミキサ回路３１Ａ，３１Ｂに供給される。また、信号ＳHA，ＳHBは、それぞれ分周器４３Ａ，４３Ｂに供給される。
【００６３】
分周器４３Ａ，４３Ｂは、ローカル信号用移相器４０からの信号ＳHA，ＳHBを１／４の周波数に分周する回路である。また、分周器４３Ａ，４３Ｂで得られた分周信号ＳLA，ＳLBは、分周信号切り替えスイッチ４４Ａ，４４Ｂを介してミキサ回路３１Ａ，３１Ｂに供給される。
【００６４】
ＶＨＦ帯の地上デジタル音声放送を受信する場合、ミキサ回路３１Ａ，３１Ｂに供給されるローカル信号は、発振器４１ＣとＰＬＬ回路４１で下記の周波数関係式（３Ａ，３Ｂ）にそって外部から制御されて生成される。
flo2＝frx＋fif          （３Ａ）
fvco＝4×flo2           （３Ｂ）
【００６５】
ここで、flo2はＶＨＦ受信用ローカル信号の周波数、fvcoはＶＣＯ発信周波数、frxは受信周波数、fifはＩＦ周波数である。
【００６６】
ＵＨＦ帯の地上デジタルテレビジョン放送を受信する場合、ミキサ回路３１Ａ，３１Ｂに供給されるローカル信号は、発振器４１ＣとＰＬＬ回路４１で下記の周波数関係式（４Ａ，４Ｂ）にそって外部から制御されて生成される。
flo1＝frx＋fif          （４Ａ）
fvco＝flo1              （４Ｂ）
【００６７】
ここで、flo1はＵＨＦ受信用ローカル信号の周波数、fvcoはＶＣＯ発信周波数、frxは受信周波数、fifはＩＦ周波数である。
【００６８】
図６は、受信回路４００における各周波数の関係を示す図である。図６（ａ）は、ＶＨＦ帯の地上デジタル音声放送７ｃｈの周波数の関係（周波数設定値）であり、図６（ｂ）は、ＵＨＦ帯の地上デジタルテレビジョン放送各チャンネルの周波数の関係（周波数設定値）である。
【００６９】
受信回路４００においては、バンド切り替えスイッチ１５および分周信号切り替えスイッチ４４Ａ，４４Ｂはシステムコントローラ（図示せず）により、ＶＨＦ帯の地上デジタル音声放送の受信時には図１の状態に接続され、ＵＨＦ帯の地上デジタルテレビジョン放送の受信時には図１と逆の状態に接続される。
【００７０】
ＶＨＦ帯の地上デジタル音声放送を受信する際に、アンテナにより受信されるＶＨＦ帯の地上デジタル音声放送の放送信号が、ＲＦ入力端子１１から入力され、この受信信号が電子同調方式のアンテナ同調回路１２Ｌ、１２Ｈに供給され、同調回路１２Ｌによりローバンドにおける目的とする周波数の受信信号ＳRXが取り出される。そして、この受信信号ＳRXが、ローノイズアンプ１３Ｌで増幅され、スイッチ回路１５を通じてミキサ回路３１Ａ、３１Ｂに供給される。
【００７１】
また、ＰＬＬ４１において、例えば周波数４７３ＭＨｚ〜７７０ＭＨｚの間を受信周波数に対応して変化する発振信号Ｓ４１が形成され、この発振信号Ｓ４１がローカル信号用移相器４０に供給され、位相が互いに９０°異なる２つの信号ＳHA，ＳHBにされる。そして、この２つの信号ＳHA，ＳHBが、分周回路４３Ａ，４３Ｂに供給されて１／４の周波数、すなわち、周波数１１８ＭＨｚ〜１９３ＭＨｚの間を受信周波数に対応して変化する２つの信号ＳLA、ＳLBに分周される。そして、この分周信号ＳLA，ＳLBが、分周信号切り替えスイッチ４４Ａ，４４Ｂを通じてミキサ回路３１Ａ，３１Ｂにローカル信号として供給される。
【００７２】
こうして、ミキサ回路３１Ａ，３１Ｂにおいて、受信信号ＳRXはローカル信号ＳLA，ＳLBにより位相が互いに９０°異なる２つの中間周波信号ＳIFA，ＳIFB、すなわち、互いに直交するＩ軸およびＱ軸の中間周波信号ＳIFA，ＳIFBに周波数変換される。
【００７３】
そして、ミキサ回路３１Ａ，３１Ｂからの中間周波信号ＳIFA，ＳIFBが、移相回路３３に供給され、この移相回路３３において、例えば、中間周波信号ＳIFA，ＳIFBに含まれる本来の信号成分が同相となり、かつ、イメージ成分が逆相となるように移相される。そして、この移相後の中間周波信号ＳIFA，ＳIFBが加算回路３４に供給され、加算回路３４からは、イメージ成分が相殺され、本来の信号成分を有する中間周波信号ＳIFが取り出される。
【００７４】
続いて、この中間周波信号ＳIFが、中間周波フィルタ用のバンドパスフィルタ３５とＩＦアンプ３６を通じて出力端子３８に取り出される。
【００７５】
端子３８に取り出された中間周波信号ＳIFに対して、ＶＨＦ帯の地上デジタル音声放送の送信時の変調処理に対応した復調処理が行われ、複数の番組（チャンネル）のうちの目的とする番組のオーディオ信号が取り出される。
【００７６】
一方、ＵＨＦ帯の地上デジタルテレビジョン放送を受信する際に、アンテナにより受信されるＵＨＦ帯の地上デジタルテレビジョン放送の放送信号が、ＲＦ入力端子１１から入力され、この受信信号が同調回路１２Ｈによりハイバンドにおける目的とする周波数の受信信号ＳRXが取り出される。そして、この受信信号ＳRXが、ローノイズアンプ１３Ｈに入力され、ローノイズアンプ１３Ｈで増幅され受信信号ＳRXはバンド切り替えスイッチ１５を介してミキサ回路３１Ａ、３１Ｂに供給される。
【００７７】
また、ＰＬＬ４１において、例えば周波数４７３ＭＨｚ〜７７０ＭＨｚの間を受信周波数に対応して変化する発振信号Ｓ４１が形成され、この発振信号Ｓ４１がローカル信号用移相器４０に供給され、位相が互いに９０°異なる２つの信号ＳHA，ＳHBにされる。そして、この２つの信号ＳHA，ＳHBが、分周信号切り替えスイッチ４４Ａ，４４Ｂを通じてミキサ回路３１Ａ，３１Ｂにローカル信号として供給される。
【００７８】
こうして、ミキサ回路３１Ａ，３１Ｂにおいて、受信信号ＳRXはローカル信号ＳLA，ＳLBにより位相が互いに９０°異なる２つの中間周波信号ＳIFA，ＳIFB、すなわち、互いに直交するＩ軸およびＱ軸の中間周波信号ＳIFA，ＳIFBに周波数変換される。
【００７９】
そして、ミキサ回路３１Ａ，３１Ｂからの中間周波信号ＳIFA，ＳIFBが移相回路３３に供給され、この移相回路３３において、例えば、中間周波信号ＳIFA，ＳIFBに含まれる本来の信号成分が同相となり、かつ、イメージ成分が逆相となるように移相される。そして、この移相後の中間周波信号ＳIFA，ＳIFBが加算回路３４に供給され、加算回路３４からは、イメージ成分が相殺され、本来の信号成分を有する中間周波信号ＳIFが取り出される。
【００８０】
続いて、この中間周波信号ＳIFが、中間周波フィルタ用のバンドパスフィルタ３５とＩＦアンプ３６を通じて出力端子３８に取り出される。
【００８１】
出力端子３８より取り出された中間周波信号ＳIFに対して、ＵＨＦ帯の地上デジタルテレビジョン放送の送信時の変調処理に対応した復調処理が行われ、複数の番組（チャンネル）のうちの目的とする番組の映像および音声信号が取り出される。
【００８２】
このように本実施の形態においては、ミキサ回路３１Ａ，３１Ｂと、発振回路を構成する発振器４１Ｃと、ＰＬＬ回路４１と、ローカル信号用移相器４０と、ＰＬＬ回路４１から出力される発振信号を分周する分周回路４３Ａ，４３Ｂとを備え、受信バンドの一方および他方が、ＵＨＦ帯の地上デジタルテレビジョン放送およびＶＨＦ帯の地上デジタル音声放送とされ、ＶＨＦ帯の地上デジタル音声放送を受信するときにローカル信号として使用される分周信号ＳLA，ＳLBは、ＵＨＦ帯の地上デジタルテレビジョン放送を受信するときにローカル信号として使用される信号ＳHA，ＳHBを１／４の周波数に分周した信号とされる。
【００８３】
これにより、１つのローカル信号発生器でＵＨＦ帯の地上デジタルテレビジョン放送およびＶＨＦ帯の地上デジタル音声放送を受信することが可能になり、部品点数を減らすことができ、安価、且つ小型化を図ることができる。
【００８４】
また、国内地上デジタル音声放送（７ｃｈ）用と国内地上デジタルテレビジョン放送（ＵＨＦ）用の１セグメント共用受信機に適用した際は、ＵＨＦ用のＶＯＣ発振周波数をわずかに広げて１／４分周することで、容易にＶＨＦ−７ｃｈ用のローカル信号に利用できるため、ＶＣＯ回路の変更は分周回路を追加するだけで実現できる。
【００８５】
図７は、実施の形態の受信装置の構成を示す図である。図７に示す受信装置１０１は、上述した受信回路１００、２００または４００を用いた国内地上デジタル放送サービスの１セグメント放送共用受信機である。
【００８６】
図７に示すように、受信装置１０１は、受信回路１００と、復調回路５０と、ベースバンド回路６０と、表示部７０と、スピーカ８０とから構成されている。ここで、受信回路１００は、上述した第１の実施の形態の受信回路である。なお、上述した受信回路２００または４００を受信装置１０１の受信回路として用いてもよい。復調回路５０は、ＯＦＤＭ（Orthogonal Frequency Division Multiplexing：直交周波数分割多重）復調回路である。復調回路５０およびベースバンド回路６０で処理された信号は表示部７０およびスピーカ８０へ出力される。
【００８７】
受信装置１０１において、受信する際に、受信回路１００でアンテナ１０により受信したＲＦ信号はＩＦ信号にダウンコンバートされ、ダウンコンバートにより得られたＩＦ信号は増幅された後、復調回路５０に入力される。ＩＦ信号は復調回路５０で復調処理が行われる。復調回路５０で得られた信号は、ベースバンド回路６０で信号処理が行われ、そして、表示部７０に映像、スピーカ８０に音声が出力される。
【００８８】
このように本実施の形態においては、受信回路１００と、復調回路５０と、ベースバンド回路６０と備え、受信回路１００において、受信バンドの一方および他方が、ＵＨＦ帯の地上デジタルテレビジョン放送およびＶＨＦ帯の地上デジタル音声放送とされ、ＶＨＦ帯の地上デジタル音声放送を受信するときにローカル信号として使用される上記分周信号は、ＵＨＦ帯の地上デジタルテレビジョン放送を受信するにローカル信号として使用される分周信号を１／４の周波数に分周した信号とされる。
【００８９】
これによって、１つの発振回路でＵＨＦ帯の地上デジタルテレビジョン放送およびＶＨＦ帯の地上デジタル音声放送を受信することが可能になり、部品点数を減らすことができ、安価、且つ小型化を図ることができる。
【００９０】
図８は、実施の形態の受信装置の構成を示す図である。図８に示す受信装置１０２は、上述した受信回路３００を用いた国内地上デジタル放送サービスの１セグメント放送共用受信機である。
【００９１】
図８に示すように、受信装置１０２は、受信回路３００と、復調回路５０Ａと、ベースバンド回路６０と、表示部７０と、スピーカ８０とから構成されている。ここで、受信回路３００は、上述した第３の実施の形態の受信回路である。復調回路５０Ａは、ＯＦＤＭ復調回路である。復調回路５０Ａおよびベースバンド回路６０で処理された信号は表示部７０およびスピーカ８０へ出力される。
【００９２】
受信装置１０１において、受信する際に、受信回路３００でアンテナ１０により受信したＲＦ信号はＩＦ信号にダウンコンバートされ、ダウンコンバートにより得られたＩＦ信号は増幅された後、復調回路５０Ａに入力される。ＩＦ信号は復調回路５０Ａで復調処理が行われる。復調回路５０Ａで得られた信号は、ベースバンド回路６０で信号処理が行われ、そして、表示部７０に映像、スピーカ８０に音声が出力される。
【００９３】
このように本実施の形態においては、受信回路３００と、復調回路５０Ａと、ベースバンド回路６０と備え、受信回路３００において、受信バンドの一方および他方が、ＵＨＦ帯の地上デジタルテレビジョン放送およびＶＨＦ帯の地上デジタル音声放送とされ、ＶＨＦ帯の地上デジタル音声放送を受信するときにローカル信号として使用される上記分周信号は、ＵＨＦ帯の地上デジタルテレビジョン放送を受信するにローカル信号として使用される分周信号を１／４の周波数に分周した信号とされる。
【００９４】
これによって、１つの発振回路でＵＨＦ帯の地上デジタルテレビジョン放送およびＶＨＦ帯の地上デジタル音声放送を受信することが可能になり、部品点数を減らすことができ、安価、且つ小型化を図ることができる。
【産業上の利用可能性】
【００９５】
以上のように、この発明に係る受信回路および受信装置は、携帯電話、ＰＤＡ（Personal Digital Assistant）等モバイル機器、および車載テレビジョン受信機等の小型化、低コスト化を図る目的に利用できる。
【図面の簡単な説明】
【００９６】
【図１】第１の実施の形態の受信回路の構成例を示す図である。
【図２】受信回路１００における各周波数の関係を示す図である。
【図３】第２の実施の形態の受信回路の構成例を示す図である。
【図４】第３の実施の形態の受信回路の構成例を示す図である。
【図５】第４の実施の形態の受信回路の構成例を示す図である。
【図６】受信回路４００における各周波数の関係を示す図である。
【図７】実施の形態の受信装置１０１の構成例を示す図である。
【図８】実施の形態の受信装置１０２の構成例を示す図である。
【符号の説明】
【００９７】
１０・・・アンテナ、１１・・・ＲＦ入力端子、１２Ｌ，１２・・・同調回路、１３Ｌ，１３Ｈ・・・ローノイズアンプ、１５・・・バンド切り替えスイッチ、３１Ａ，３１Ｂ，３１ＬＡ，３１ＬＢ、３１ＨＡ，３１ＨＢ・・・ミキサ回路、３３・・・移相器、３４・・・加算回路、３５・・・バンドパスフィルタ、３６・・・ＩＦアンプ、３８，３８Ａ，３８Ｂ・・・出力端子、４０・・・ローカル信号移相器、４１Ｃ・・・発振器、４１・・・ＰＬＬ回路、４２，４３，４３Ａ，４３Ｂ分周器、４４Ａ，４４Ｂ・・・分周信号切り替えスイッチ、４５，４６・・・ＡＧＣ回路、４７・・・ＡＧＣ信号加算回路、５０，５０Ａ・・・復調回路、６０・・・ベースバンド回路、７０・・・表示部、８０・・・スピーカ、１００，２００，３００，４００・・・受信回路、１０１，１０２・・・受信装置
【図１】
2005295317.tif 000003
【図２】
2005295317.tif 000004
【図３】
2005295317.tif 000005
【図４】
2005295317.tif 000006
【図５】
2005295317.tif 000007
【図６】
2005295317.tif 000008
【図７】
2005295317.tif 000009
【図８】
2005295317.tif 000010